(57)【要約】【課題】ユーザーが必要とする機能をユーザー自身が自由に追加することができるとともに、モジュールを再利用することができる携帯電話機を提供すること。【解決手段】携帯電話機１００は、本体主要部１１０、外装パネル１２０及びソケット１３０ａ、１３０ｂを有する。また、本体主要部１１０は、パネル装着面１５０ａを有する。また、外装パネル１２０は、パネル装着面１５０ａに着脱可能であるとともに、パネル装着面１５０ａに装着される場合にパネル装着面１５０ａに着接される着接面を有する。また、ソケット１３０ａ及びソケット１３０ｂはパネル装着面１５０ａに設けられ、それぞれモジュールを嵌脱可能であり、例えばソケット１３０ａにはモジュール１４０ａが嵌入される。また、ソケット１３０ａ及びソケット１３０ｂは、外装パネル１２０によって覆われる。【選択図】図１
2007116375.tif 000002
【特許請求の範囲】
【請求項１】
パネル装着面を有する本体主要部と、
前記パネル装着面上の所定位置に設けられるとともに、第１のモジュールが嵌脱自在に嵌入される第１のソケットと、
を具備することを特徴とする携帯電話機。
【請求項２】
前記所定位置と異なる前記パネル装着面上の位置に設けられるとともに、第２のモジュールが嵌脱自在に嵌入される第２のソケットをさらに具備する、
ことを特徴とする請求項１記載の携帯電話機。
【請求項３】
前記本体主要部に着脱自在に設けられるとともに、前記本体主要部に装着される場合に前記パネル装着面に着接される着接面を有する外装パネルをさらに具備する、
ことを特徴とする請求項１または請求項２記載の携帯電話機。
【請求項４】
前記着接面上の所定位置に設けられるとともに、第３のモジュールが嵌脱自在に嵌入される第３のソケットをさらに具備する、
ことを特徴とする請求項３記載の携帯電話機。
【請求項５】
前記第１のソケットと前記第２のソケットとは互いに異なる形状を有する、
ことを特徴とする請求項２記載の携帯電話機。
【請求項６】
前記第１のソケットと前記第２のソケットとは互いに同じ形状を有する、
ことを特徴とする請求項２記載の携帯電話機。
【請求項７】
前記第１のソケットと前記第３のソケットとは互いに異なる形状を有する、
ことを特徴とする請求項４記載の携帯電話機。
【請求項８】
前記第１のソケットと前記第３のソケットとは互いに同じ形状を有する、
ことを特徴とする請求項４記載の携帯電話機。
【請求項９】
携帯電話機に着脱自在に設けられる外装パネルであって、
携帯電話機に装着される場合に前記携帯電話機のパネル装着面に着接される着接面を有するパネル本体部と、
前記着接面上の所定位置に設けられるとともに、第１のモジュールが嵌脱自在に嵌入される第１のソケットと、
を具備することを特徴とする外装パネル。
【請求項１０】
前記所定位置と異なる前記着接面上の位置に設けられるとともに、第２のモジュールが嵌脱自在に嵌入される第２のソケットをさらに具備し、
前記第１のソケットと前記第２のソケットとは互いに異なる形状を有する、
ことを特徴とする請求項９記載の外装パネル。
【請求項１１】
前記所定位置と異なる前記着接面上の位置に設けられるとともに、第２のモジュールが嵌脱自在に嵌入される第２のソケットをさらに具備し、
前記第１のソケットと前記第２のソケットとは互いに同じ形状を有する、
ことを特徴とする請求項９記載の外装パネル。
【請求項１２】
請求項９から請求項１１のいずれかに記載の外装パネルを具備することを特徴とする携帯電話機。
【発明の詳細な説明】
【技術分野】
【０００１】
本発明は、携帯電話機に関し、特に、モジュールをカスタマイズできる携帯電話機に関する。
【背景技術】
【０００２】
従来の携帯電話機は通常、本体部にあるプリント基板に全てのモジュール（例えばＩＣ等）が取り外しできないように取り付けられている。そして、それを包む包装材もユーザーが取り外しできないように作られている。このため、従来の携帯電話機は、カスタムジャケットなどの携帯電話機を除きユーザーによるカスタマイズができない。
【０００３】
かかる問題を解決するための携帯電話機としては、例えば特許文献１に記載されたものがある。この携帯電話機は、所定機能を有する本体部に着脱自在な、付加機能を有する背面パネルを設けることによって、携帯電話機購入後にユーザーの好みの機能を付加することができる。
【特許文献１】特開２００４−１７２６５４号公報
【発明の開示】
【発明が解決しようとする課題】
【０００４】
しかしながら、メーカーは背面パネルのバリエーションを予め設計、作成する必要がある。本体部に取り付けられる背面パネルのバリエーションは、メーカーが決めたパターンのみであるため、ユーザーが選択できるバリエーションのパターンは決まっている。例えばメーカーが３種類の背面パネル（スピーカーとＩｒＤＡ（Infrared Data Association）付の背面パネル、タッチパッド付きの背面パネル及びカメラとＩｒＤＡ付きの背面パネル）を開発した場合、ユーザーはこの３つの種類中のどれかを選択する幅はあるものの、スピーカーとカメラ付きの背面パネルを選択することはできない。つまり、ユーザーが必要とする機能をユーザー自身が自由に選択して、携帯電話機に追加することができない。
【０００５】
また、モジュールの相当部分が本体部に依存し、背面パネルも本体部の形状と同じものを選ぶことしかできない。携帯電話機に取り付けられたモジュールは、本体部に直付けされており、例えば本体部の買い替え時に内部の必要モジュールと同一であっても買い替えた次の携帯電話機に取り付けることができない。よって、モジュールは、まだ問題なく使用できる状態であっても（例えば音源、スピーカー、ＬＥＤ（Light Emitting Diode）、ＩｒＤＡモジュール等は頻繁にグレードアップしないため使い回しが効く）、ゴミとして捨てられるしかなく、再利用ができない。
【０００６】
本発明は、かかる点に鑑みてなされたもので、ユーザーが必要とする機能をユーザー自身が自由に追加することができるとともに、モジュールを再利用することができる携帯電話機を提供することを目的とする。
【課題を解決するための手段】
【０００７】
本発明の携帯電話機は、パネル装着面を有する本体主要部と、前記パネル装着面上の所定位置に設けられるとともに、第１のモジュールが嵌脱自在に嵌入される第１のソケットと、を具備する構成を採る。
【０００８】
本発明の携帯電話機は、上記構成において、前記所定位置と異なる前記パネル装着面上の位置に設けられるとともに、第２のモジュールが嵌脱自在に嵌入される第２のソケットをさらに具備する、構成を採る。
【０００９】
本発明の携帯電話機は、上記構成において、前記本体主要部に着脱自在に設けられるとともに、前記本体主要部に装着される場合に前記パネル装着面に着接される着接面を有する外装パネルをさらに具備する、構成を採る。
【００１０】
本発明の携帯電話機は、上記構成において、前記着接面上の所定位置に設けられるとともに、第３のモジュールが嵌脱自在に嵌入される第３のソケットをさらに具備する、構成を採る。
【００１１】
本発明の携帯電話機は、上記構成において、前記第１のソケットと前記第２のソケットとは互いに異なる形状を有する、構成を採る。
【００１２】
本発明の携帯電話機は、上記構成において、前記第１のソケットと前記第２のソケットとは互いに同じ形状を有する、構成を採る。
【００１３】
本発明の携帯電話機は、上記構成において、前記第１のソケットと前記第３のソケットとは互いに異なる形状を有する、構成を採る。
【００１４】
本発明の携帯電話機は、上記構成において、前記第１のソケットと前記第３のソケットとは互いに同じ形状を有する、構成を採る。
【００１５】
本発明の外装パネルは、携帯電話機に着脱自在に設けられる外装パネルであって、携帯電話機に装着される場合に前記携帯電話機のパネル装着面に着接される着接面を有するパネル本体部と、前記着接面上の所定位置に設けられるとともに、第１のモジュールが嵌脱自在に嵌入される第１のソケットと、を具備する構成を採る。
【００１６】
本発明の外装パネルは、上記構成において、前記所定位置と異なる前記着接面上の位置に設けられるとともに、第２のモジュールが嵌脱自在に嵌入される第２のソケットをさらに具備し、前記第１のソケットと前記第２のソケットとは互いに異なる形状を有する、構成を採る。
【００１７】
本発明の外装パネルは、上記構成において、前記所定位置と異なる前記着接面上の位置に設けられるとともに、第２のモジュールが嵌脱自在に嵌入される第２のソケットをさらに具備し、前記第１のソケットと前記第２のソケットとは互いに同じ形状を有する、構成を採る。
【００１８】
本発明の携帯電話機は、上記のいずれかの外装パネルを具備する構成を採る。
【発明の効果】
【００１９】
本発明によれば、ユーザーが必要とする機能をユーザー自身が自由に追加することができるとともに、モジュールを再利用することができる携帯電話機を提供することができる。
【発明を実施するための最良の形態】
【００２０】
以下、本発明の実施の形態について、図面を用いて詳細に説明する。
【００２１】
（実施の形態１）
図１は、本発明の実施の形態１に係る携帯電話機１００の外観を概略的に示す図である。なお、図１は、携帯電話機１００の本体主要部１１０に設けられたソケット１３０ａ及びソケット１３０ｂ中のソケット１３０ａにモジュール１４０ａが嵌入された一例を示す図である。
【００２２】
携帯電話機１００は、本体主要部１１０及び外装パネル１２０を有する。本体主要部１１０及び外装パネル１２０の組み合わせは本体部を構成する。
【００２３】
本体主要部１１０は、外装パネル１２０を装着するためのパネル装着面１５０ａを有する。本体主要部１１０のパネル装着面１５０ａには、ソケット１３０ａ及びソケット１３０ｂが設けられている。
【００２４】
外装パネル１２０は、本体主要部１１０に着脱自在に設けられる。つまり、外装パネル１２０は、本体主要部１１０に装着し（取り付け）たり本体主要部１１０から取り外したりできるように、本体主要部１１０に設けられる。外装パネル１２０は、ソケット１３０ａにモジュール１４０ａが嵌入されたパネル装着面１５０ａに装着されたとき、ソケット１３０ａ及びソケット１３０ｂを覆う。例えば本体主要部１１０のパネル装着面１５０ａの４箇所の角付近に設けられている螺子孔と外装パネル１２０の４箇所の角付近に設けられている貫通螺子孔とを位置合わせした状態で螺子を螺子孔に螺合することにより、外装パネル１２０を本体主要部１１０に装着することができる。
【００２５】
ソケット１３０ａ及びソケット１３０ｂは、本体主要部１１０に設けられ、それぞれ異なる形状を持っている。ソケット１３０ａ及びソケット１３０ｂの各開口部は、例えば星型、四角、三角及び四角＋波形などの形状を持つことができる。
【００２６】
ソケット１３０ａにはモジュール１４０ａが嵌脱自在に嵌入される。つまり、ソケット１３０ａには、ソケット１３０ａと同じ形状を持つモジュール１４０ａを、嵌めたり抜いたりできるように嵌め入れることができる。
【００２７】
また、本体主要部１１０には同じ形状を持つソケットを複数設けることもできる。例えばソケット１３０ａ及びソケット１３０ｂは同じ形状を持っていても良い。
【００２８】
モジュール１４０ａは、ソケット１３０ａの形状と同じ形状を持ち、ソケット１３０ａに嵌脱可能である。
【００２９】
また、複数のモジュールが同じ種類であっても、信号の扱い方等が異なり同じ配線が不可能なものである場合には、それぞれ異なる形状を持ち、別のモジュールとして扱われる。
【００３０】
モジュール１４０ａは、従来の携帯電話機の本体部にあるプリント基板に取り外しできないように取り付けられている多数の部品を外部モジュール化することによって実現する。例えばＩｒＤＡモジュール（光送信部、受光部、ＩｒＤＡモジュール）、スピーカー、ＢＴ（Bluetooth）モジュール、ＢＴ用アンテナ、ＦＭチューナー、ＦＭアンテナ、ＴＶチューナー、ＬＥＤ、カメラ、温度センサー、ＧＰＳ（Global Positioning System）モジュール、ＳＵＩＫＡモジュール、湿度センサー、指紋認証モジュール、拡張ボタン及び音源チップ等がある。
【００３１】
また、モジュール１４０ａは、剥き出しの電子部品ではなく、プラスティック等によって包装されても良い。
【００３２】
なお、モジュールとは、携帯電話機を構成する部分のうち、独立性が高く、追加や交換が容易にできるように設計された部品をいう。モジュールは、一のモジュールによって特定の機能を発揮しても良いし、物理的に分離した複数のモジュールが互いに電気的に結合することによって、特定の機能を発揮しても良い。
【００３３】
ここで、ソケットの凹部の形状と、ソケットに嵌入できるモジュールの形状と、について、図２を用いて説明する。
【００３４】
図２（ａ）は、ソケットの凹部の第１例を示す断面図である。また、図２（ｂ）は、図２（ａ）のソケットに嵌入できるモジュールの第１の例を示す断面図である。図２（ｂ）のモジュールの断面形状は、図２（ａ）のソケットの凹部の断面形状と同一である。また、図２（ｃ）は、図２（ａ）のソケットに嵌入できるモジュールの第２の例を示す断面図である。図２（ｃ）のモジュールの断面形状は、図２（ａ）のソケットの凹部の断面形状と相違している。なお、図２（ａ）、図２（ｂ）および図２（ｃ）において、Ｓ１＞Ｓ２、Ｌ１≒Ｓ１、Ｌ２≒Ｓ２、Ｊ１≒ｈ１、Ｌ３＝Ｌ４≒Ｓ２、Ｊ２≒ｈ１である。
【００３５】
また、図２（ｄ）は、ソケットの凹部の第２例を示す断面図である。また、図２（ｅ）は、図２（ｄ）のソケットに嵌入できるモジュールの一例を示す断面図である。図２（ｅ）のモジュールの断面形状は、図２（ｄ）のソケットの凹部の断面形状と同一である。なお、図２（ｄ）および図２（ｅ）において、Ｓ３＝Ｓ４、Ｌ５＝Ｌ６≒Ｓ３≒Ｓ４、Ｊ３≒ｈ２である。
【００３６】
また、図２（ｆ）は、ソケットの凹部の第３例を示す断面図である。また、図２（ｇ）は、図２（ｆ）のソケットに嵌入できるモジュールの第１の例を示す断面図である。図２（ｇ）のモジュールの断面形状は、図２（ｆ）のソケットの凹部の断面形状と同一である。また、図２（ｈ）は、図２（ｆ）のソケットに嵌入できるモジュールの第２の例を示す断面図である。図２（ｈ）のモジュールの断面形状は、図２（ｆ）のソケットの凹部の断面形状と相違している。なお、図２（ｆ）、図２（ｇ）および図２（ｈ）において、Ｌ７≒ｓ５、Ｌ８≒Ｓ６、Ｌ９≒Ｓ７、Ｌ１０≒Ｓ８、Ｊ４≒ｈ３、Ｌ１１≒Ｓ６、Ｌ１２≒Ｓ７、Ｌ１３≒Ｓ８、Ｊ５≒ｈ３である。
【００３７】
また、図２（ｉ）は、ソケットの凹部の第４例を示す断面図である。また、図２（ｊ）は、図２（ｉ）のソケットに嵌入できるモジュールの第１の例を示す断面図である。図２（ｊ）のモジュールの断面形状は、図２（ｉ）のソケットの凹部の断面形状と相違している。また、図２（ｋ）は、図２（ｉ）のソケットに嵌入できるモジュールの第２の例を示す断面図である。図２（ｋ）のモジュールの断面形状は、図２（ｉ）のソケットの凹部の断面形状と同一である。また、図２（ｌ）は、図２（ｉ）のソケットに嵌入できるモジュールの第３の例を示す断面図である。図２（ｌ）のモジュールの断面形状は、図２（ｉ）のソケットの凹部の断面形状と相違している。なお、図２（ｉ）、図２（ｊ）、図２（ｋ）および図２（ｌ）において、Ｊ６≒ｈ５、Ｊ７≒ｈ６、Ｊ８≒ｈ４、Ｊ９≒ｈ５、Ｊ１０≒ｈ６、Ｊ１１≒ｈ５である。
【００３８】
なお、ソケットに直接モジュールを嵌入してもよいし、ソケットに所定のアダプタを嵌入した上で、モジュールを嵌入してもよい。アダプタを用いれば、ソケットに嵌入可能なモジュールの形状の自由度が高まるという利点がある。
【００３９】
図３は、ソケット１３０ａにモジュール１４０ａが嵌入された場合の携帯電話機１００の構成を示すブロック図である。
【００４０】
本体主要部１１０は、アプリケーション部１１１、デバイス制御アプリケーション部１１２、電源部１１３、電源制御部１１４、デバイス制御アプリケーション部１１５、ソケット１３０ａ及びソケット１３０ｂを有する。
【００４１】
アプリケーション部１１１は、デバイス制御アプリケーション部１１２からの情報に基づいて、ソケット１３０ａに嵌入されたモジュール１４０ａが有する機能を利用するためのアプリケーション機能を有する。また、アプリケーション部１１１は、デバイス制御アプリケーション部１１５からの情報に基づいて、ソケット１３０ｂに嵌入可能なモジュール（図示せず）が有する機能を利用するためのアプリケーション機能を有する。
【００４２】
デバイス制御アプリケーション部１１２は、ソケット１３０ａに嵌入されるモジュール１４０ａを制御するためのアプリケーション機能を有する。デバイス制御アプリケーション部１１２は、制御信号端子１３２ａを介してモジュール１４０ａと制御信号の送受信を行う。
【００４３】
デバイス制御アプリケーション部１１５は、ソケット１３０ｂに嵌入可能なモジュール（図示せず）を制御するためのアプリケーション機能を有する。デバイス制御アプリケーション部１１５は、制御信号端子１３２ｂを介してソケット１３０ｂに嵌入可能なモジュール（図示せず）と制御信号の送受信を行うことができる。
【００４４】
電源部１１３は、電源制御部１１４に電力を供給する。また、電源部１１３は、電源制御部１１４を介してデバイス制御アプリケーション部１１２、デバイス制御アプリケーション部１１５及びアプリケーション部１１１に電力を供給する。更に、電源部１１３は、電源制御部１１４及び電源端子１３１ａを介してソケット１３０ａに嵌入されたモジュール１４０ａに、電源制御部１１４及び電源端子１３１ｂを介してソケット１３０ｂに嵌入可能なモジュール（図示せず）にそれぞれ電力を供給する。
【００４５】
電源制御部１１４は、電源部１１３を制御する。
【００４６】
ソケット１３０ａは、電源端子１３１ａ及び制御信号端子１３２ａを有する。ソケット１３０ａは、電源端子１３１ａ及び制御信号端子１３２ａを介して、モジュール１４０ａと接続する。より具体的には、電源端子１３１ａはモジュール１４０ａの電源端子１４１ａと、制御信号端子１３２ａはモジュール１４０ａの制御信号端子１４２ａとそれぞれ接触するか又は電磁誘導的に結合する。
【００４７】
ソケット１３０ｂは、電源端子１３１ｂ及び制御信号端子１３２ｂを有する。
【００４８】
モジュール１４０ａは、電子端子１４１ａ、制御信号端子１４２ａ、電源制御部１４３ａ、制御部１４４ａ、処理部１４５ａ及び外部Ｉ／Ｆ部１４６ａを有する。モジュール１４０ａは、電子端子１４１ａ及び制御信号端子１４２ａを介してソケット１３０ａと接続する。電源端子１４１ａを介して電源制御部１４３ａに供給された電力は、電源制御部１４３ａによって制御される。また、その電力は電源制御部１４３ａを介して制御部１４４ａ、制御信号端子１４２ａ、処理部１４５ａ及び外部Ｉ／Ｆ部１４６ａに供給される。制御部１４４ａは、処理部１４５ａを制御し、制御信号は制御信号端子１４２ａ及び制御信号端子１３２ａを介してデバイス制御アプリケーション部１１２に送信される。また、外部Ｉ／Ｆ部１４６ａから入力された情報は処理部１４５ａによって処理され、その処理された情報は制御部１４４ａに出力される。
【００４９】
以上、２つのソケット（ソケット１３０ａ及びソケット１３０ｂ）中の片方（ソケット１３０ａ）に１つのモジュール（モジュール１４０ａ）が嵌入された場合について説明した。但し、両方のソケットにモジュールを嵌入することもできる。
【００５０】
図４は、ソケット１３０ａにモジュール１４０ａが、ソケット１３０ｂにモジュール１４０ｂがそれぞれ嵌入された場合の携帯電話機１００の外観を概略的に示す図である。
【００５１】
携帯電話機１００は、本体主要部１１０及び外装パネル１２０を有する。
【００５２】
ソケット１３０ｂにはモジュール１４０ｂが嵌脱可能である。つまり、ソケット１３０ｂには、ソケット１３０ｂと同じ形状を持つモジュール１４０ｂを嵌入することができる。
【００５３】
モジュール１４０ｂは、ソケット１３０ｂの形状と同じ形状を持ち、ソケット１３０ｂに嵌脱可能である。
【００５４】
モジュール１４０ｂは、従来の携帯電話機の本体部にあるプリント基板に取り外しできないように取り付けられている多数の部品を外部モジュール化することによって実現する。例えばＩｒＤＡモジュール（光送信部、受光部、ＩｒＤＡモジュール）、スピーカー、ＢＴモジュール、ＢＴ用アンテナ、ＦＭチューナー、ＦＭアンテナ、ＴＶチューナー、ＬＥＤ、カメラ、温度センサー、ＧＰＳモジュール、ＳＵＩＫＡモジュール、湿度センサー、指紋認証モジュール、拡張ボタン及び音源チップ等がある。
【００５５】
また、モジュール１４０ｂは、剥き出しの電子部品ではなく、プラスティック等によって包装されても良い。
【００５６】
図５は、ソケット１３０ａにモジュール１４０ａが、ソケット１３０ｂにモジュール１４０ｂがそれぞれ嵌入された場合の携帯電話機１００の構成を示すブロック図である。
【００５７】
ソケット１３０ｂは、電源端子１３１ｂ及び制御信号端子１３２ｂを介して、モジュール１４０ｂと接続する。より具体的には、電源端子１３１ｂはモジュール１４０ｂの電源端子１４１ｂと、制御信号端子１３２ｂはモジュール１４０ｂの制御信号端子１４２ｂとそれぞれ接触するか又は電磁誘導的に結合する。
【００５８】
モジュール１４０ｂは、電子端子１４１ｂ、制御信号端子１４２ｂ、電源制御部１４３ｂ、制御部１４４ｂ及び処理部１４５ｂを有する。モジュール１４０ｂは、電子端子１４１ｂ及び制御信号端子１４２ｂを介してソケット１３０ｂと接続する。電源部１１３により電源制御部１１４、電源端子１３１ｂ及び電源端子１４１ｂを介して電源制御部１４３ｂに供給された電力は、電源制御部１４３ｂによって制御される。また、その電力は電源制御部１４３ｂを介して制御部１４４ｂ、制御信号端子１４２ｂ及び処理部１４５ｂに供給される。制御部１４４ｂは、処理部１４５ｂを制御し、制御信号は制御信号端子１４２ｂ及び制御信号端子１３２ｂを介してデバイス制御アプリケーション部１１５に送信される。
【００５９】
次に、本実施の形態１に係る携帯電話機の使用方法について説明する。
【００６０】
ユーザーは自分の好みの携帯電話機、例えば携帯電話機１００を購入することができる。つまり、本体主要部１１０及び外装パネル１２０をセットで購入することができる。
【００６１】
ユーザーは携帯電話機１００を購入した後、付加機能を追加したい場合には、自分が必要とする機能を有するモジュール、つまりオプション機能となるモジュールを購入して、携帯電話機１００に嵌入すれば良い。ユーザーは、例えば携帯電話機１００に撮影機能を追加したい場合には、その機能を有するカメラ（仮に、モジュール１４０ａとする）を購入して携帯電話機１００の本体主要部１１０に設けられたソケット１３０ａに嵌入することができる。
【００６２】
その後、ユーザーが携帯電話機１００に他の機能も追加したい場合には、その機能を有するモジュール、例えばスピーカー（仮に、モジュール１４０ｂとする）を追加購入して、携帯電話機１００の本体主要部１１０に設けられたソケット１３０ｂに嵌入することもできる。
【００６３】
ユーザーは、例えば購入したカメラをソケット１３０ａに、スピーカーをソケット１３０ｂにそれぞれ嵌入してから、ソケット１３０ａ及びソケット１３０ｂが外装パネル部１２０に覆われるように、外装パネル１２０を本体主要部１１０のパネル装着面１５０ａに装着することができる。
【００６４】
また、ユーザーは携帯電話機１００を買い替え時に、携帯電話機１００に嵌入されているモジュールを継続的に使いたい場合がある。この時ユーザーは、モジュールが問題なく使用できる状態であればそれを取り外して買い替えた次の携帯電話機に嵌入すれば良い。ユーザーは、例えば携帯電話機１００の本体主要部１１０に設けられたソケット１３０ａに嵌入されているカメラを取り外して、買い替えた次の携帯電話機に嵌入することもできる。
【００６５】
このように、本実施の形態によれば、携帯電話機１００の本体主要部１１０にソケット１３０ａ及びソケット１３０ｂが設けられ、ソケット１３０ａにモジュール１４０ａが、ソケット１３０ｂにモジュール１４０ｂがそれぞれ嵌脱可能である。よって、ユーザーが選択できるモジュールのバリエーションのパターンが制限されていないため、ユーザーが必要とする機能を有するモジュール、例えばモジュール１４０ａをユーザー自身が自由に選択してソケット１３０ａに嵌入することにより、ユーザーが必要とする機能を携帯電話機１００に追加することができる。また、携帯電話機１００の買い替え時に、本体主要部１１０に設けられたソケット、例えばソケット１３０ａに嵌入されたモジュール１４０ａが必要である場合には、モジュール１４０ａを買い替えた次の携帯電話機に設けられたソケットに嵌入することにより、モジュールを再利用することができる。
【００６６】
また、同種類のモジュールを、例えば、低機能のものから高機能のものに取り替えることができる。例えば、１０万画素のカメラモジュールがソケットに嵌入された携帯電話機を想定する。ユーザーは、１０万画素のカメラモジュールをソケットから取り外し、１００万画素のカメラモジュールをソケットに嵌入することができる。この場合、ユーザーは、カメラモジュールのためのソフトウェアを１０万画素対応のものから１００万画素対応のものにアップデートすることが好ましい。これにより、携帯電話機の延命が可能となる。
【００６７】
更に、ユーザー全員が同じ機能を有する携帯電話機しか購入できない場合、あるユーザーにとっては自分の必要とする機能が不足していたり、他のユーザーにとっては携帯電話機が有する機能のほんの一部しか使わず無駄な投資となったりすることもある。よって、メーカーからは必要な機能だけを提供できる携帯電話機１００を作ることができ、且つユーザーはモジュール１４０ａ及びモジュール１４０ｂのカスタマイズにより自分が必要とする機能を携帯電話機１００に追加することができるため、携帯電話機１００の機能の不適切が解消され、リーズナブルなコストの携帯電話機１００でユーザーの様々なニーズに対応することができる。
【００６８】
また、外装パネル１２０は、例えばソケット１３０ａにモジュール１４０ａが、ソケット１３０ｂにモジュール１４０ｂがそれぞれ嵌入された本体主要部１１０のパネル装着面１５０ａに装着され、ソケット１３０ａ及びソケット１３０ｂを覆う。よって、ソケット１３０ａに嵌入されたモジュール１４０ａ及びソケット１３０ｂに嵌入されたモジュール１４０ｂの脱落を防止することができる。
【００６９】
また、外装パネル１２０にソケットが設けられていないため、モジュールが嵌入されない。よって、外装パネル１２０が本体主要部１１０のアプリケーション部１１１、デバイス制御アプリケーション部１１２及びデバイス制御アプリケーション部１１５に依存しないため、外装パネル１２０をサードパーティーなどが容易に作成することができる。
【００７０】
また、本体主要部１１０に設けられたソケット１３０ａ及びソケット１３０ｂは、それぞれ異なる形状を持っており、ソケット１３０ａにはソケット１３０ａと同じ形状を持つモジュール１４０ａを、ソケット１３０ｂにはソケット１３０ｂと同じ形状を持つモジュール１４０ｂをそれぞれ嵌入することができる。よって、ユーザーはモジュール１４０ａ及びモジュール１４０ｂのそれぞれの嵌入場所を簡単に特定することができる。
【００７１】
また、本体主要部１１０に同じ形状を持つソケットを複数設けることもできる。例えばソケット１３０ａ及びソケット１３０ｂは同じ形状を持っていても良い。よって、ユーザーは、例えばソケット１３０ａと同じ形状を有し、且つソケット１３０ａに嵌入できるモジュール１４０ａの嵌入場所をソケット１３０ａ及びソケット１３０ｂの中から自由に選択して、その選択されたソケットにモジュール１４０ａを嵌入することにより、モジュール１４０ａを好きな場所に配置することができる。
【００７２】
なお、上記の実施形態では、パネル装着面１５０ａが携帯電話機１００の主面である場合を例示したが、パネル装着面はこれに限られない。携帯電話機及び外装パネルの形状によっては、パネル装着面は、例えば携帯電話機の主面とその主面に結合する側面１７０ａ、１７０ｂ、１７０ｃを含んでいてもよい。この場合、ソケットは、携帯電話機の側面１７０ａ、１７０ｂ、１７０ｃに設けてもよい。
【００７３】
（実施の形態２）
図６は、本発明の実施の形態２に係る携帯電話機２００の外観を概略的に示す図である。なお、本実施の形態で説明する携帯電話機は、実施の形態１で説明した携帯電話機１００と同様の基本的構成を有する。よって、本実施の形態で説明するものと同一の構成要素には同一の参照番号を付し、その詳細な説明を省略する。
【００７４】
また、図６は、携帯電話機２００の本体主要部２１０に設けられたソケット１３０ａ、ソケット１３０ｂ及びソケット２３０ｃ中のソケット１３０ａに実施の形態１で説明したモジュール１４０ａが、ソケット１３０ｂに実施の形態１で説明したモジュール１４０ｂがそれぞれ嵌入された一例を示す図である。
【００７５】
携帯電話機２００は、本体主要部２１０及び外装パネル１２０を有する。本体主要部２１０及び外装パネル１２０の組み合わせは本体部を構成する。
【００７６】
本体主要部２１０は、外装パネル１２０を装着するためのパネル装着面１５０ｂを有する。本体主要部２１０のパネル装着面１５０ｂには、ソケット１３０ａ、ソケット１３０ｂ及びソケット２３０ｃが設けられている。
【００７７】
外装パネル１２０は、本体主要部２１０に着脱自在に設けられる。つまり、外装パネル１２０は、本体主要部２１０に装着し（取り付け）たり本体主要部２１０から取り外したりできるように、本体主要部２１０に設けられる。外装パネル１２０は、ソケット１３０ａにモジュール１４０ａが、ソケット１３０ｂにモジュール１４０ｂがそれぞれ嵌入されたパネル装着面１５０ｂに装着され、ソケット１３０ａ、ソケット１３０ｂ及びソケット２３０ｃを覆う。例えば本体主要部２１０のパネル装着面１５０ｂの４箇所の角付近に設けられている螺子孔と外装パネル１２０の４箇所の角付近に設けられている貫通螺子孔とを位置合わせした状態で螺子を螺子孔に螺合することにより、外装パネル１２０を本体主要部２１０に装着することができる。
【００７８】
ソケット２３０ｃは、本体主要部２１０に設けられ、ソケット１３０ａ及びソケット１３０ｂとそれぞれ異なる形状を持っている。ソケット２３０ｃの各開口部は、例えば星型、四角、三角及び四角＋波形などの形状を持つことができる。
【００７９】
また、本体主要部２１０には同じ形状を持つソケットを複数設けることもできる。例えばソケット２３０ｃ及びソケット１３０ｂは同じ形状を持っていても良い。
【００８０】
図７は、ソケット１３０ａにモジュール１４０ａが、ソケット１３０ｂにモジュール１４０ｂがそれぞれ嵌入された場合の携帯電話機１００の構成を示すブロック図である。
【００８１】
本体主要部２１０は、アプリケーション部２１１、デバイス制御アプリケーション部２１２、電源部２１３、電源制御部２１４、デバイス制御アプリケーション部２１５、デバイス制御アプリケーション部２１６、ソケット１３０ａ、ソケット１３０ｂ及びソケット２３０ｃを有する。
【００８２】
アプリケーション部２１１は、デバイス制御アプリケーション部２１２からの情報に基づいて、ソケット１３０ａに嵌入されるモジュール１４０ａが有する機能を利用するためのアプリケーション機能を有する。また、アプリケーション部２１１は、デバイス制御アプリケーション部２１５からの情報に基づいて、ソケット１３０ｂに嵌入されるモジュール１４０ｂが有する機能を利用するためのアプリケーション機能を有する。更に、アプリケーション部２１１は、デバイス制御アプリケーション部２１６からの情報に基づいて、ソケット２３０ｃに嵌入可能なモジュール（図示せず）が有する機能を利用するためのアプリケーション機能を有する。
【００８３】
デバイス制御アプリケーション部２１２は、ソケット１３０ａに嵌入されるモジュール１４０ａを制御するためのアプリケーション機能を有する。デバイス制御アプリケーション部２１２は、制御信号端子１３２ａを介してモジュール１４０ａと制御信号の送受信を行う。
【００８４】
デバイス制御アプリケーション部２１５は、ソケット１３０ｂに嵌入されるモジュール１４０ｂを制御するためのアプリケーション機能を有する。デバイス制御アプリケーション部２１５は、制御信号端子１３２ｂを介してモジュール１４０ｂと制御信号の送受信を行う。
【００８５】
デバイス制御アプリケーション部２１６は、ソケット２３０ｃに嵌入可能なモジュール（図示せず）を制御するためのアプリケーション機能を有する。デバイス制御アプリケーション部２１６は、制御信号端子２３２ｃを介してソケット２３０ｃに嵌入可能なモジュール（図示せず）と制御信号の送受信を行うことができる。
【００８６】
電源部２１３は、電源制御部２１４に電力を供給する。また、電源部２１３は、電源制御部２１４を介してデバイス制御アプリケーション部２１２、デバイス制御アプリケーション部２１５、デバイス制御アプリケーション部２１６、アプリケーション部２１１に電力を供給する。更に、電源部２１３は、電源制御部２１４及び電源端子１３１ａを介してソケット１３０ａに嵌入されたモジュール１４０ａに、電源制御部２１４及び電源端子１３１ｂを介してソケット１３０ｂに嵌入されたモジュール１４０ｂに、電源制御部２１４及び電源端子２３１ｃを介してソケット２３０ｃに嵌入可能なモジュール（図示せず）にそれぞれ電力を供給する。
【００８７】
電源制御部２１４は、電源部２１３を制御する。
【００８８】
ソケット２３０ｃは、電源端子２３１ｃ及び制御信号端子２３２ｃを有する。
【００８９】
以上、３つのソケット（ソケット１３０ａ、ソケット１３０ｂ及びソケット２３０ｃ）中の２つにモジュール（ソケット１３０ａにモジュール１４０ａが、ソケット１３０ｂにモジュール１４０ｂが）がそれぞれ嵌入された場合について説明した。但し、３つのソケットにモジュールを嵌入することもできる。
【００９０】
図８は、ソケット１３０ａにモジュール１４０ａが、ソケット１３０ｂにモジュール１４０ｂが、ソケット２３０ｃにモジュール２４０ｃがそれぞれ嵌入された場合の携帯電話機２００の外観を概略的に示す図である。
【００９１】
携帯電話機２００は、本体主要部２１０及び外装パネル１２０を有する。
【００９２】
ソケット２３０ｃにはモジュール２４０ｃが嵌脱可能である。つまり、ソケット２３０ｃには、ソケット２３０ｃと同じ形状を持つモジュール２４０ｃを嵌入することができる。
【００９３】
モジュール２４０ｃは、ソケット２３０ｃの形状と一致する形状を持ち、ソケット２３０ｃに嵌脱可能である。
【００９４】
モジュール２４０ｃは、従来の携帯電話機の本体部にあるプリント基板に取り外しできないように取り付けられている多数の部品を外部モジュール化することによって実現する。例えばＩｒＤＡモジュール（光送信部、受光部、ＩｒＤＡモジュール）、スピーカー、Ｂｌｕｅｔｏｏｔｈ（ＢＴ）モジュール、ＢＴ用アンテナ、ＦＭチューナー、ＦＭアンテナ、ＴＶチューナー、ＬＥＤ、カメラ、温度センサー、ＧＰＳモジュール、ＳＵＩＫＡモジュール、湿度センサー、指紋認証モジュール、拡張ボタン及び音源チップ等がある。
【００９５】
また、モジュール２４０ｃは、剥き出しの電子部品ではなく、プラスティック等によって包装されても良い。
【００９６】
図９は、ソケット１３０ａにモジュール１４０ａが、ソケット１３０ｂにモジュール１４０ｂが、ソケット２３０ｃにモジュール２４０ｃがそれぞれ嵌入された場合の携帯電話機２００の構成を示すブロック図である。
【００９７】
ソケット２３０ｃは、電源端子２３１ｃ及び制御信号端子２３２ｃを介して、モジュール２４０ｃと接続する。より具体的には、電源端子２３１ｃはモジュール２４０ｃの電源端子２４１ｃと、制御信号端子２３２ｃは制御信号端子２４２ｃとそれぞれ接触するか又は電磁誘導的に結合する。
【００９８】
モジュール２４０ｃは、電子端子２４１ｃ、制御信号端子２４２ｃ、電源制御部２４３ｃ、制御部２４４ｃ、処理部２４５ｃ及び外部Ｉ／Ｆ部２４６ｃを有する。モジュール２４０ｃは、電子端子２４１ｃ及び制御信号端子２４２ｃを介してソケット２３０ｃと接続する。電源部２１３により電源制御部２１４、電源端子２３１ｃ及び電源端子２４１ｃを介して電源制御部２４３ｃに供給された電力は、電源制御部２４３ｃによって制御される。また、その電力は電源制御部２４３ｃを介して制御部２４４ｃ、制御信号端子２４２ｃ、処理部２４５ｃ及び外部Ｉ／Ｆ部２４６ｃに供給される。制御部２４４ｃは、処理部２４５ｃを制御し、制御信号は制御信号端子２４２ｃ及び制御信号端子２３２ｃを介してデバイス制御アプリケーション部２１６に送信される。また、外部Ｉ／Ｆ部２４６ｃから入力された情報は処理部２４５ｃによって処理され、その処理された情報は制御部２４４ｃに出力される。
【００９９】
なお、本実施の形態２に係る携帯電話機の使用方法については、本発明の実施の形態１に係る携帯電話機１００おいて説明したものと同様であるので、その詳細な説明を省略する。
【０１００】
このように、本実施の形態によれば、実施の形態１で説明した全ての作用効果を、本実施の形態においても実現することができる。
【０１０１】
そして、本実施の形態に係る携帯電話機２００の本体主要部２１０に設けられたソケットの数は、本発明の実施の形態１に係る携帯電話機１００の本体主要部１１０に設けられたソケットの数より多い。よって、ユーザーは、自分が必要とする機能を有するより多いモジュールを本体主要部２１０に設けられたソケットに嵌入することにより、ユーザーが必要とする機能をより多く携帯電話機２００に追加することができる。また、携帯電話機２００の本体主要部２１０の買い替え時に、本体主要部２１０に設けられたソケットに嵌入されたモジュールが必要である場合には、より多いモジュールを買い替えた次の携帯電話機に設けられたソケットに嵌入することによって、モジュールをより多く再利用することができる。
【０１０２】
なお、上記の実施形態では、パネル装着面１５０ｂが携帯電話機２００の主面である場合を例示したが、パネル装着面はこれに限られない。携帯電話機及び外装パネルの形状によっては、パネル装着面は、例えば携帯電話機の主面とその主面に結合する側面１８０ａ、１８０ｂ、１８０ｃを含んでいてもよい。この場合、ソケットは、携帯電話機の側面１８０ａ、１８０ｂ、１８０ｃに設けてもよい。
【０１０３】
（実施の形態３）
図１０は、本発明の実施の形態３に係る携帯電話機３００の外観を概略的に示す図である。また、図１０は、携帯電話機３００の外装パネル３２０に設けられたソケット３３０ａに実施の形態１で説明したモジュール１４０ａが、ソケット３３０ｂに実施の形態１で説明したモジュール１４０ｂが、ソケット３３０ｃに実施の形態２で説明したモジュール２４０ｃがそれぞれ嵌入された一例を示す図である。
【０１０４】
携帯電話機３００は、本体主要部３１０及び外装パネル３２０を有する。本体主要部３１０及び外装パネル３２０の組み合わせは本体部を構成する。
【０１０５】
本体主要部３１０は、外装パネル３２０と接触するか又は電磁誘導的に結合する接点（図示せず）を持つ。また、本体主要部３１０は、外装パネル３２０を装着するためのパネル装着面１５０ｃを有する。
【０１０６】
本体主要部３１０は、外装パネル３２０と接触するか又は電磁誘導的に結合する接点を介して、外装パネル３２０に設けられた複数のソケットに嵌脱可能なモジュール、つまり、ソケット３３０ａに嵌入されたモジュール１４０ａ、ソケット３３０ｂに嵌入されたモジュール１４０ｂ及びソケット３３０ｃに嵌入されたモジュール２４０ｃにそれぞれ電力を供給し、信号を送信する。
【０１０７】
外装パネル３２０には、ソケット３３０ａ、ソケット３３０ｂ及びソケット３３０ｃが設けられている。
【０１０８】
また、外装パネル３２０は、本体主要部３１０に着脱自在に設けられる。外装パネル３２０のパネル本体部は、本体主要部３１０のパネル装着面１５０ｃに装着された場合に、パネル装着面１５０ｃに着接される、つまりパネル装着面１５０ｃと接触した状態に着けられる着接面を有する。その着接面にモジュール１４０ａが嵌入されたソケット３３０ａ、モジュール１４０ｂが嵌入されたソケット３３０ｂ及びモジュール２４０ｃが嵌入されたソケット３３０ｃが設けられている。例えば本体主要部３１０のパネル装着面１５０ｃの４箇所の角付近に設けられている螺子孔と外装パネル３２０の４箇所の角付近に設けられている貫通螺子孔とを位置合わせした状態で螺子を螺子孔に螺合することにより、外装パネル３２０を本体主要部３１０に装着することができる。
【０１０９】
また、外装パネル３２０は、本体主要部２００と接触するか又は電磁誘導的に結合する接点（図示せず）を持つ。外装パネル３２０に設けられた複数のソケットに嵌入されたモジュール、つまり、ソケット３３０ａに嵌入されたモジュール１４０ａ、ソケット３３０ｂに嵌入されたモジュール１４０ｂ及びソケット３３０ｃに嵌入されたモジュール２４０ｃは、外装パネル３２０と本体主要部３１０が接触するか又は電磁誘導的に結合する接点を介して、本体主要部３１０からの電力が供給され、信号を受信する。
【０１１０】
ソケット３３０ａ、ソケット３３０ｂ及びソケット３３０ｃは、外装パネル３２０に設けられ、それぞれ異なる形状を持っている。ソケット３３０ａ、ソケット３３０ｂ及びソケット３３０ｃの各開口部は、例えば星型、四角、三角及び四角＋波形などの形状を持つことができる。
【０１１１】
ソケット３３０ａにはモジュール１４０ａが、ソケット３３０ｂにはモジュール１４０ｂが、ソケット３３０ｃにはモジュール２４０ｃがそれぞれ嵌脱可能である。つまり、ソケット３３０ａには、ソケット３３０ａと同じ形状を持つモジュール１４０ａを嵌入することができる。また、ソケット３３０ｂには、ソケット３３０ｂと同じ形状を持つモジュール１４０ｂを嵌入することができる。また、ソケット３３０ｃには、ソケット３３０ｃと同じ形状を持つモジュール２４０ｃを嵌入することができる。
【０１１２】
また、外装パネル３２０には同じ形状を持つソケットを複数設けることもできる。例えばソケット３３０ａ及びソケット３３０ｂは同じ形状を持っていても良い。
【０１１３】
図１１は、外装パネル３２０に設けられたソケット３３０ａにモジュール１４０ａが、ソケット３３０ｂにモジュール１４０ｂが、ソケット３３０ｃにモジュール２４０ｃがそれぞれ嵌入された場合の携帯電話機３００の構成を示すブロック図である。
【０１１４】
本体主要部３１０は、アプリケーション部３１１、デバイス制御アプリケーション部３１２、電源部３１３、電源制御部３１４、デバイス制御アプリケーション部３１５、デバイス制御アプリケーション部３１６、接点部３６０ａ、接点部３６０ｂ及び接点部３６０ｃを有する。
【０１１５】
アプリケーション部３１１は、デバイス制御アプリケーション部３１２からの情報に基づいて、ソケット３３０ａに嵌入されるモジュール１４０ａが有する機能を利用するためのアプリケーション機能を有する。また、アプリケーション部３１１は、デバイス制御アプリケーション部３１５からの情報に基づいて、ソケット１３０ｂに嵌入されるモジュール１４０ｂが有する機能を利用するためのアプリケーション機能を有する。更に、アプリケーション部３１１は、デバイス制御アプリケーション部３１６からの情報に基づいて、ソケット３３０ｃに嵌入されるモジュール２４０ｃが有する機能を利用するためのアプリケーション機能を有する。
【０１１６】
デバイス制御アプリケーション部３１２は、ソケット３３０ａに嵌入されるモジュール１４０ａを制御するためのアプリケーション機能を有する。デバイス制御アプリケーション部３１２は、制御信号端子３６２ａ、外装パネル３２０の制御信号端子３５２ａ及び外装パネル３２０の制御信号端子３３２ａを介してモジュール１４０ａと制御信号の送受信を行う。
【０１１７】
デバイス制御アプリケーション部３１５は、ソケット３３０ｂに嵌入されるモジュール１４０ｂを制御するためのアプリケーション機能を有する。デバイス制御アプリケーション部３１５は、制御信号端子３６２ｂ、外装パネル３２０の制御信号端子３５２ｂ及び外装パネル３２０の制御信号端子３３２ｂを介してモジュール１４０ｂと制御信号の送受信を行う。
【０１１８】
デバイス制御アプリケーション部３１６は、ソケット３３０ｃに嵌入されるモジュール２４０ｃを制御するためのアプリケーション機能を有する。デバイス制御アプリケーション部３１６は、制御信号端子３６２ｃ、外装パネル３２０の制御信号端子３５２ｃ及び外装パネル３２０の制御信号端子３３２ｃを介してモジュール２４０ｃと制御信号の送受信を行う。
【０１１９】
電源部３１３は、電源制御部３１４に電力を供給する。また、電源部３１３は、電源制御部３１４を介してデバイス制御アプリケーション部３１２、デバイス制御アプリケーション部３１５、デバイス制御アプリケーション部３１６、アプリケーション部３１１に電力を供給する。また、電源部３１３は、電源制御部３１４、電源端子３６１ａ、外装パネル３２０の電源端子３５１ａ及び外装パネル３２０の電源端子３３１ａを介してモジュール１４０ａに電力を供給する。また、電源部３１３は、電源制御部３１４、電源端子３６１ｂ、外装パネル３２０の電源端子３５１ｂ及び外装パネル３２０の電源端子３３１ｂを介してモジュール１４０ｂに電力を供給する。また、電源部３１３は、電源制御部３１４、電源端子３６１ｃ、外装パネル３２０の電源端子３５１ｃ及び外装パネル３２０の電源端子３３１ｃを介してモジュール２４０ｃに電力を供給する。
【０１２０】
電源制御部３１４は、電源部３１３を制御する。
【０１２１】
接点部３６０ａは、電子端子３６１ａ及び制御信号端子３６２ａを有する。接点部３６０ａは、電子端子３６１ａ及び制御信号端子３６２ａを介して外装パネル３２０と接続する。より具体的には、電子端子３６１ａは外装パネル３２０の接点部３５０ａの電子端子３５１ａと、制御信号端子３６２ａは外装パネル３２０の接点部３５０ａの制御信号端子３５２ａとそれぞれ接触するか又は電磁誘導的に結合する。
【０１２２】
接点部３６０ｂは、電子端子３６１ｂ及び制御信号端子３６２ｂを有する。接点部３６０ｂは、電子端子３６１ｂ及び制御信号端子３６２ｂを介して外装パネル３２０と接続する。より具体的には、電子端子３６１ｂは外装パネル３２０の接点部３５０ｂの電子端子３５１ｂと、制御信号端子３６２ｂは外装パネル３２０の接点部３５０ｂの制御信号端子３５２ｂとそれぞれ接触するか又は電磁誘導的に結合する。
【０１２３】
接点部３６０ｃは、電子端子３６１ｃ及び制御信号端子３６２ｃを有する。接点部３６０ｃは、電子端子３６１ｃ及び制御信号端子３６２ｃを介して外装パネル３２０と接続する。より具体的には、電子端子３６１ｃは外装パネル３２０の接点部３５０ｃの電子端子３５１ｃと、制御信号端子３６２ｃは外装パネル３２０の接点部３５０ｃの制御信号端子３５２ｃとそれぞれ接触するか又は電磁誘導的に結合する。
【０１２４】
外装パネル３２０は、前述した接点部３５０ａ、接点部３５０ｂ及び接点部３５０ｃの他に、ソケット３３０ａ、ソケット３３０ｂ及びソケット３３０ｃを有する。
【０１２５】
ソケット３３０ａは、電源端子３３１ａ及び制御信号端子３３２ａを有する。ソケット３３０ａは、電源端子３３１ａ及び制御信号端子３３２ａを介して、モジュール１４０ａと接続する。例えば電源端子３３１ａはモジュール１４０ａの電源端子１４１ａと、制御信号端子３３２ａはモジュール１４０ａの制御信号端子１４２ａとそれぞれ接触するか又は電磁誘導的に結合する。
【０１２６】
ソケット３３０ｂは、電源端子３３１ｂ及び制御信号端子３３２ｂを有する。ソケット３３０ｂは、電源端子３３１ｂ及び制御信号端子３３２ｂを介して、モジュール１４０ｂと接続する。例えば電源端子３３１ｂはモジュール１４０ｂの電源端子１４１ｂと、制御信号端子３３２ｂはモジュール１４０ｂの制御信号端子１４２ｂとそれぞれ接触するか又は電磁誘導的に結合する。
【０１２７】
ソケット３３０ｃは、電源端子３３１ｃ及び制御信号端子３３２ｃを有する。ソケット３３０ｃは、電源端子３３１ｃ及び制御信号端子３３２ｃを介して、モジュール２４０ｃと接続する。例えば電源端子３３１ｃはモジュール２４０ｃの電源端子２４１ｃと、制御信号端子３３２ｃはモジュール２４０ｃの制御信号端子２４２ｃとそれぞれ接触するか又は電磁誘導的に結合する。
【０１２８】
なお、本実施の形態３に係る携帯電話機３００の使用方法については、本発明の実施の形態１に係る携帯電話機１００において説明したものと同様であるので、その詳細な説明を省略する。
【０１２９】
このように、本実施の形態によれば、携帯電話機３００の外装パネル３２０にソケット３３０ａ、ソケット３３０ｂ及びソケット３３０ｃが設けられ、ソケット３３０ａにモジュール１４０ａが、ソケット３３０ｂにモジュール１４０ｂが、ソケット３３０ｃにモジュール２４０ｃがそれぞれ嵌脱可能である。よって、ユーザーが選択できるモジュールのバリエーションのパターンが制限されていないため、ユーザーが必要とする機能を有するモジュール、例えばモジュール１４０ａをユーザー自身が自由に選択してソケット３３０ａに嵌入することにより、ユーザーが必要とする機能を携帯電話機３００に追加することができる。また、携帯電話機３００の買い替え時に、外装パネル３２０に設けられたソケット、例えばソケット３３０ａに嵌入されたモジュール１４０ａが必要である場合には、モジュール１４０ａを買い替えた次の携帯電話機に設けられたソケットに嵌入することにより、モジュールを再利用することができる。
【０１３０】
更に、ユーザー全員が同じ機能を有する携帯電話機しか購入できない場合、あるユーザーにとっては自分の必要とする機能が不足していたり、他のユーザーにとっては携帯電話機が有する機能のほんの一部しか使わず無駄な投資となったりすることもある。よって、メーカーからは必要な機能だけを提供できる携帯電話機３００を作ることができ、且つユーザーはモジュール１４０ａ、モジュール１４０ｂ及びモジュール２４０ｃのカスタマイズにより自分が必要とする機能を携帯電話機３００に追加することができるため、携帯電話機３００の機能の不適切が解消され、リーズナブルなコストの携帯電話機３００でユーザーの様々なニーズに対応することができる。
【０１３１】
そして、本実施の形態に係る携帯電話機３００の外装パネル３２０に設けられたソケットの数は、本発明の実施の形態１に係る携帯電話機１００の本体主要部１１０に設けられたソケットの数より多い。よって、ユーザーは、自分が必要とする機能を有するより多いモジュールを外装パネル３２０に設けられたソケットに嵌入することにより、ユーザーが必要とする機能をより多く携帯電話機３００に追加することができる。また、携帯電話機３００の外装パネル３２０の買い替え時に、外装パネル３２０に設けられたソケットに嵌入されたモジュールが必要である場合には、より多いモジュールを買い替えた次の携帯電話機に設けられたソケットに嵌入することによって、モジュールをより多く再利用することができる。
【０１３２】
また、外装パネル３２０は、本体主要部３１０のパネル装着面１５０ｃに装着された場合に、パネル装着面１５０ｃに着接される着接面を有する。その着接面にソケット３３０ａ、３３０ｂ及び３３０ｃが設けられ、ソケット３３０ａにモジュール１４０ａが、ソケット３３０ｂにモジュール１４０ｂが、ソケット３３０ｃにモジュール２４０ｃがそれぞれ嵌入された。よって、ソケット３３０ａに嵌入されたモジュール１４０ａ、ソケット３３０ｂに嵌入されたモジュール１４０ｂ及びソケット３３０ｃに嵌入されたモジュール２４０ｃの脱落を防止することができる。
【０１３３】
また、外装パネル３２０に設けられたソケット３３０ａ、ソケット３３０ｂ及びソケット３３０ｃは、それぞれ異なる形状を持っており、ソケット３３０ａにはソケット３３０ａと同じ形状を持つモジュール１４０ａを、ソケット３３０ｂにはソケット３３０ｂと同じ形状を持つモジュール１４０ｂを、ソケット３３０ｃにはソケット３３０ｃと同じ形状を持つモジュール２４０ｃをそれぞれ嵌入することができる。よって、ユーザーはモジュール１４０ａ、モジュール１４０ｂ及びモジュール２４０ｃのそれぞれの嵌入場所を簡単に特定することができる。
【０１３４】
また、外装パネル３２０に同じ形状を持つソケットを複数設けることもできる。例えばソケット３３０ａ及びソケット３３０ｂは同じ形状を持っても良い。よって、ユーザーは、例えばソケット３３０ａと同じ形状を有し、且つソケット３３０ａに嵌入できるモジュール１４０ａの嵌入場所をソケット３３０ａ及びソケット３３０ｂの中から自由に選択して、その選択されたソケットにモジュール１４０ａを嵌入することによって、モジュール１４０ａを好きな場所に配置することができる。
【０１３５】
以上、本発明の各実施の形態について説明した。なお、本発明の携帯電話機の構成は、上記各実施の形態で説明したものだけに限定されない。例えば、実施の形態１〜３で説明した携帯電話機１００、２００及び３００の構成を組み合わせて実施することができる。また、各携帯電話機１００、２００または３００においては、１つ以上のソケットを設けることができる。
【産業上の利用可能性】
【０１３６】
本発明の携帯電話機は、ユーザーが必要とする機能をユーザー自身が自由に追加することができるとともに、モジュールを再利用する効果を有し、携帯電話機、特に、モジュールをカスタマイズできる携帯電話機として有用である。
【図面の簡単な説明】
【０１３７】
【図１】本発明の実施の形態１に係る携帯電話機の外観の一例を概略的に示す図
【図２】本発明の実施の形態に係るソケット及びそれに嵌脱可能なモジュールの断面図
【図３】本発明の実施の形態１に係る携帯電話機の構成の一例を示すブロック図
【図４】本発明の実施の形態１に係る携帯電話機の外観の他の例を概略的に示す図
【図５】本発明の実施の形態１に係る携帯電話機の構成の他の例を示すブロック図
【図６】本発明の実施の形態２に係る携帯電話機の外観の一例を概略的に示す図
【図７】本発明の実施の形態２に係る携帯電話機の構成の一例を示すブロック図
【図８】本発明の実施の形態２に係る携帯電話機の外観の他の例を概略的に示す図
【図９】本発明の実施の形態２に係る携帯電話機の構成の他の例を示すブロック図
【図１０】本発明の実施の形態３に係る携帯電話機の外観の一例を概略的に示す図
【図１１】本発明の実施の形態３に係る携帯電話機の構成の一例を示すブロック図
【符号の説明】
【０１３８】
１００、２００、３００  携帯電話機
１１０、２１０、３１０  本体主要部
１２０、３２０  外装パネル
１３０ａ、１３０ｂ、２３０ｃ、３３０ａ、３３０ｂ、３３０ｃ  ソケット
１４０ａ、１４０ｂ、２４０ｃ  モジュール
１５０ａ、１５０ｂ、１５０ｃ  パネル装着面
【図１】
2007116375.tif 000003
【図２】
2007116375.tif 000004
【図３】
2007116375.tif 000005
【図４】
2007116375.tif 000006
【図５】
2007116375.tif 000007
【図６】
2007116375.tif 000008
【図７】
2007116375.tif 000009
【図８】
2007116375.tif 000010
【図９】
2007116375.tif 000011
【図１０】
2007116375.tif 000012
【図１１】
2007116375.tif 000013